(57)【特許請求の範囲】
【請求項１】
（ａ）オクチル酸アルミニウムとＣ１２〜Ｃ２４高級脂肪酸アルミニウムとの混合物、（ｂ）ブタジエン、イソプレン若しくはクロロプレンの誘導体であるポリマー又はこれらの混合物からなる群から選択される、官能基を有する液状ポリオレフィン、及び（ｃ）芳香及び／又は消臭成分を含有することを特徴とする、ゲル状芳香・消臭剤組成物。
【請求項２】
前記官能基を有する液状ポリオレフィンは、α，Ω−ポリブタジエンジカルボン酸、マレイン酸化ポリイソプレン若しくは無水マレイン酸化ポリイソプレン又はこれらの混合物からなる群から選択される請求項１記載のゲル状芳香・消臭剤組成物。
【発明の詳細な説明】
【０００１】
【発明の属する技術分野】
本発明は、官能基を有する液状ポリオレフィンを架橋剤として含むことを特徴とするゲル状芳香・消臭剤組成物に関しており、これにより、透明で美観に優れ、優れた芳香消臭効果を有するとともに、高温下で長期間保存しても流動化しないゲル状形態安定性にも優れたゲル状芳香・消臭剤組成物に関している。
【０００２】
【従来の技術】
特開２００１−４６４８２号公報記載のゲル組成物はベンジリデンソルビトール誘導体を使用しているが、この物質は溶解する溶剤が少なく、ジメチルスルフォキシドなどに溶解させて香料に添加しても結晶として析出するので、構成成分の不均一化やゲル表面のざらつきが生じる欠点がある。また、特表平９−５０４２２１号公報に記載のゲル組成物は、使用末期に残る組成物量が多く、商品寿命が不明確な点と、途中でゲル組成物が引きちぎれる特性があり、使用中の美観が悪い欠点がある。
【０００３】
【発明が解決しようとする課題】
本発明は、これらの欠点を解決し、使用前から使用後期まで透明性を備え、末期の残差量もきわめて少なく、組成物の成分も均一でゲル表面のざらつきが生ぜず、高温下で長期間保存しても流動化しないゲル状形態安定性にも優れたゲル組成物を提供することを目的とする。
【０００４】
【課題を解決するための手段】
本発明により、（ａ）オクチル酸アルミニウムとＣ12〜Ｃ24高級脂肪酸アルミニウムとの混合物、（ｂ）官能基を有する液状ポリオレフィン、及び（ｃ）芳香及び／又は消臭成分を含有することを特徴とする、ゲル状芳香・消臭剤組成物が提供される。
【０００５】
【発明の実施の形態】
オクチル酸アルミニウムとしては、例えば、ジ−２−エチルヘキサン酸アルミニウムが好適であり、また、これと混合して用いられるＣ12〜Ｃ24高級脂肪酸アルミニウムとしては、例えば、ラウリン酸、ミリスチン酸、パルミチン酸、ステアリン酸、オレイン酸、リノール酸、リノレイン酸、ベヘン酸、リグノセリン酸など又はこれら高級脂肪酸の混合物のアルミニウム塩が挙げられる。
【０００６】
オクチル酸アルミニウムとＣ12〜Ｃ24高級脂肪酸アルミニウムとの混合割合は厳密に制限されるものではないが、一般には、オクチル酸アルミニウムとＣ12〜Ｃ24高級脂肪酸アルミニウムの合計量を基準にしてＣ12〜Ｃ24高級脂肪酸アルミニウムが６〜８０モル％、より好ましくは１６〜５０モル％の範囲内にあるのが好適である。また、ジ−２−エチルヘキサン酸アルミニウム中の２−エチルヘキサン酸（オクチル酸）の一部がＣ12〜Ｃ24高級脂肪酸で置換されている複合酸アルミニウム塩を使用することもでき、その場合の該複合酸アルミニウム塩中のＣ12〜Ｃ24高級脂肪酸の含有量は３〜４０モル％の範囲内にあることができる。本発明で使用するオクチル酸アルミニウムとＣ12〜Ｃ24高級脂肪酸アルミニウムとの混合物の添加割合は、２〜２０重量％でよく、好ましくは、４〜１５重量％である。
【０００７】
本発明で使用できる架橋剤である官能基を有する液状ポリオレフィンは、ブタジエン、イソプレン又はクロロプレンの誘導体であるポリマーが使用される。例えば、α，Ω−ポリブタジエンジカルボン酸、液状ポリイソプレンゴム官能基タイプ、マレイン酸化ポリイソプレン、マレイン酸化液状ポリブタジエン、無水マレイン酸化ポリイソプレン及び無水マレイン酸化液状ポリブタジエンが挙げられる。α，Ω−ポリブタジエンジカルボン酸は、好ましくは、数平均分子量が１５００〜１２００である。
【０００９】
液状ポリイソプレンゴム官能基タイプとしては、分子量２００００〜３００００を有するものを使用することが好ましく、その例としては、次のような構造を有するブロック共重合体が挙げられる。
【００１０】
【化２】
0003961326.tif 000002
【００１１】
【化３】
0003961326.tif 000003
【００１２】
マレイン酸化液状ポリブタジエンは、より好ましくは、分子量５０００〜２００００を有する。マレイン酸化ポリイソプレン又は無水マレイン酸化ポリイソプレンは、より好ましくは、分子量２０００００〜５０００００を有する。これらは、商業的に入手可能な物質である。これらの物質の例は、ヨーロッパ特許出願第２３０８４号明細書中に記載されている。その一例として、リテン（Lithene、Revertex社製）として知られている生成物が挙げられる。利用しうる種々の特性を有するリテンの中で、「リテンＮ４−９０００  １０ＭＡ」を使用することで良好な結果が得られる。「９０００」は、マレイン酸化する前のポリブタジエンの分子量を表し、「１０ＭＡ」は、マレイン酸化の度合いを示し、この場合、ポリブタジエン１００部当たり無水マレイン酸化が１０部である（約９．１％）。
【００１３】
本発明で使用する官能基を有する液状ポリオレフィンの添加割合は、２〜２５重量％でよく、好ましくは、６〜１５重量％である。本発明で使用する芳香及び／又は消臭成分の添加割合は、１０〜９０重量％でよく、好ましくは、２０〜８０重量％である。
【００１４】
一方、本発明の組成物に配合しうる芳香・消臭成分（ｃ）としては、例えば、香料については、天然及び合成の広い範囲の香料を利用することができる。そのような香料の例としては、たとえば、レモン油、オレンジ油、ベルガモット油、イランイラン油、パチュリ油、シトロネラ油、レモングラス油、ボアドローズ油、チョウジ油、ユーカリ油、セダー油、ビャクダン油・ペチバー油・ゼラニウム油、ペパーミント油、ローズ油、ジャスミン油など、更にはこれら天然精油から分離されたリモネン、ゲラ二オール、シトロネロール、リナロールなどの如き天然源植物性精油及びその単離香料類；ムスク、シベット、アンバーグリス、カストリウムなどの如き天然源動物性香料類；バニリン、メントール、シンナミックアルデヒド、ヘリオトロピン、リナロール、ゲラニオール、シトロネロール、シトラール、メントール、ミルセン、ミルセノール、アニスアルデヒド、シネオール、イオノン、ピネン、リモネン、カンフェン、シス−３−ヘキセノール、ベンジルアルコール、α−アミルシンナミックアルコール、オイゲノール、リナリルアセテート、ベンジルアセテートなどの如き合成香料；これら各種精油乃至香料の少なくとも二種を配合した調合香料類；などの各種の香料成分を例示することができる。なお、香料の溶剤として、イソパラフィン、ノルマルパラフィンを用いることもできる。
【００１５】
また、消臭成分としては、例えば、ラウリルメタアクリレート、ゲラニルクロトネートクロロフィルの如き化学的消臭剤を例示することができる。
上記芳香・消臭成分（ｃ）の使用量は、本発明の透明ゲル状芳香・消臭剤組成物の利用目的により異なるが、通常、芳香・消臭剤組成物の８３〜９８．９９重量％、好ましくは９０．５〜９６．９８重量％の範囲内を例示することができる。
【００１６】
本発明の組成物には、さらに、他の添加剤として、例えば、パラジクロールベンゼン、ナフタリン、カンファーの如き防虫剤；オルトフェニルフオノール、安息香酸、サリチル酸、イソプロピルメチルフェノールの如き防腐・殺菌剤；アセトキシフェニルブタノン、メチルオイゲノールの如き誘引、忌避剤等を配合例示することもできる。
【００１７】
また、上記添加物以外に、ゲル化を促進させ及び／又は（ａ）成分と（ｂ）成の混合を促進するために、例えば、プロピレングリコールモノメチルエーテル、３−メチル−３−メトキシブタノール、エチレングリコールモノエチルエーテル、ヘキシレングリコール、ジメチルスルフォキシドなどの溶剤を配合することもできる。
【００１８】
本発明の透明ゲル状芳香・消臭剤組成物は、以上述べた（ａ）成分、（ｂ）成分及び（ｃ）成分を必要成分とし、さらに所望により上記例示の如き他の配合剤を適宜配合することにより容易に製造することができる。本発明の一実施態様によれば、室温下で、（ａ）成分のオクチル酸アルミニウムとＣ12〜Ｃ24高級脂肪酸アルミニウムとの混合物をイソパラフィン系溶剤（商品名、ＮＡ−４Ｃ）中に添加して混合し、撹拌して分散させる。そこに、予め（ｃ）成分のレモンオイルに（ｂ）成分を加えて撹拌溶解させたものに撹拌しながら加え混合液を得た後、室温に放置することにより、透明で美観に優れ、優れた芳香消臭効果を有するとともに、高温下で長期間保存しても流動化しなく、組成物の成分も均一でゲル表面のざらつきが生じない透明ゲル状芳香・消臭剤組成物を得ることができる。
【００１９】
本発明の透明ゲル状芳香・消臭剤組成物は、高温下で長期間保存しても流動化しない優れた形状安定性を示し、たとえば４５〜５０℃の室温を超える温度条件に、たとえば２ヶ月の如き長期間放置しても不都合な型くずれや液だれ、液浸みだしを生じない。また、本発明の透明ゲル状芳香・消臭剤組成物は香料の保留効果が優れているので、たとえば室内などの芳香・消臭剤として使用すると、香料成分が一定のバランスを保ちながら揮散する徐放性を示し、例えば、２ケ月以上の長期間にわたって芳香・消臭効果をバランスよく持続することができる。
【００２０】
上記のように、本発明の透明ゲル状芳香・消臭剤組成物は、芳香・消臭成分の変質、変色、異臭化などの不都合な変化を伴うことなしに、優れた芳香・消臭効果の持続性及び芳香バランス性を示し、且つ、ゲル状形態安定性に優れ、多量の香料を含有してもその形態安定性を保持でき、更に塗布形から硬い固形状にわたる広い領域において、上記優れた諸性質を示し、車内、船舶内、トイレ内、浴場内、居室内などの室内芳香・消臭剤として、更には固型香水、固型芳香・消臭塗布剤、ポマンダーなどの香粧品として、その他広い分野において有用である。
【００２１】
【実施例】
［実施例１〜７及び比較例１〜３］
オクチル酸アルミニウムとステアリン酸アルミニウムの混合物をイソパラフィン系溶剤（商品名、ＮＡ−４Ｃ）中に添加して混合し、撹拌して分散させる。これを、予め香料に官能基を有する液状ポリイソプレンゴムを入れ、撹拌溶解させたものに撹拌しながら加え混合液を得た。この混合液を、幅７ｍｍ、底７ｍｍの溝でできた直径５ｃｍの円型容器に充填し室温で放置した。約３０分後はゲル化し、容器を立てても流れない透明なゲル状芳香剤組成物が得られた。作成後、６時間経過したものを室温状態で縦に置いてゲルが流れ出るか目視で確認した。また、引き続き縦に置いた状態で４０℃で１週間放置し、同様にゲルが流れ出ているか確認した。
【００２２】
結果を表に示した。表中、ゲル化剤Ａとは、オクチル酸アルミニウム、７０重量％とステアリン酸アルミニウム、３０重量％（合計１００重量％）との混合物を表す。
【００２３】
【表１】
0003961326.tif 000004
【００２４】
【表２】
0003961326.tif 000005
【００２５】
表に示したとおり、本発明の実施例では、透明性は良好であり、組成物作成後室温で６時間放置後及び７日間４０℃で放置後において、流動は見られなかった。また、表面のざらつきも観察されなかった。一方、液状ポリオレフィンを欠いた比較例１及びゲル化剤Ａを欠いた比較例２は、いずれも、透明性は良好であったものの、組成物作成後室温で６時間放置後及び７日間４０℃で放置後において、流動が見られた。液状ポリオレフィンを欠いた比較例３では、ゲル表面のざらつきに問題があった。
【００２６】
【発明の効果】
本発明のゲル状芳香・消臭剤組成物は、透明で美観に優れ、優れた芳香消臭効果を有するとともに、高温下で長期間保存しても流動化しないゲル状形態安定性にも優れている。また、組成物の成分も均一でゲル表面のざらつきが生じない。